(57)【要約】【課題】幅寄せが円滑になされ、原稿や記録紙にダメージを与えることがない給紙装置を提供する。【解決手段】用紙載置部２Ｂ上に、幅寄せガイド部材２６を幅方向に沿ってガイドするためのガイド溝２ｈが開設され、一方幅寄せガイド部材２６は、前記用紙載置部２Ｂ上に載置された用紙Ｄの側辺部に当接して幅寄せするガイド壁部２６ａと、該ガイド壁部２６ａの下端に連なり用紙載置部２Ｂ上を前記ガイド溝２ｈにガイドされて幅方向にスライドするスライドプレート２ｂとよりなり、このスライドプレート２ｂの反ガイド壁部側端縁には、前記ガイド溝２ｈ内に傾斜状態で嵌まり込む爪部２７が形成されている。【選択図】      図３
2005200113.tif 000002
【特許請求の範囲】
【請求項１】
用紙を記録部或いは読取部に向け繰出すために載置する用紙載置部と、該用紙載置部上に載置された用紙を幅寄せするためのスライド可能な幅寄せガイド部材と、を備えた給紙装置であって、
前記用紙載置部上には、前記幅寄せガイド部材を幅方向に沿ってガイドするためのガイド溝が開設され、
前記幅寄せガイド部材は、前記用紙載置部上に載置された用紙の側辺部に当接して幅寄せするガイド壁部と、該ガイド壁部の下端に連なり用紙載置部上を前記ガイド溝にガイドされて幅方向にスライドするスライドプレートとよりなり、
前記スライドプレートの反ガイド壁部側端縁には、前記ガイド溝内に傾斜状態で嵌まり込む爪部が形成されていることを特徴とする給紙装置。
【請求項２】
前記スライドプレートの反ガイド壁部側端縁における前記爪部形成部位より給紙方向下流側は、ガイド壁部側に漸次後退するよう形成された斜め部とされていることを特徴とする請求項１記載の給紙装置。
【請求項３】
前記ガイド溝が複数形成され、前記爪部はガイド溝毎に形成されていることを特徴とする請求項１又は２に記載の給紙装置。
【発明の詳細な説明】
【技術分野】
【０００１】
本発明は、ファクシミリ装置、複写機、プリンタ（これらの複合機も含む）等の画像形成装置において、原稿や記録紙を読取部や記録部に向け１枚ずつ繰出し、給紙するための給紙装置に関する。
【背景技術】
【０００２】
一般に、電子写真複写機やファクシミリ装置においては、原稿トレイにセットされた原稿を１枚ずつ分離して読取部に連続供給する自動原稿送り装置（ＡＤＦ）を備えている。また、上記装置やプリンタの場合、カセット式の給紙部や手差しトレイが設けられ、記録紙を１枚ずつ分離して記録部に連続供給するようになされている。上記のような原稿トレイや手差しトレイ等の用紙載置部による給紙装置においては、用紙載置部上に置かれた用紙を所定の基準位置（右若しくは左の片側基準或いはセンター基準）に幅寄せするための幅寄せガイド部材が設置されている。そして、載置される用紙のサイズは様々であるので、上記幅寄せガイド部材は、用紙載置部上を幅方向の比較的広範囲に亘ってスライド可能に構成される。特許文献１或いは特許文献２には、このような幅寄せガイド部材を備えた画像形成装置が開示されている。
【特許文献１】特開平１１−４３２２８号公報
【特許文献２】特開平１１−７９４１８号公報
【発明の開示】
【発明が解決しようとする課題】
【０００３】
上記特許文献１あるいは特許文献２には、ガイド壁部とスライドプレートとが一体形成されてなる幅寄せガイド部材を、幅方向にスライド可能に設置した原稿トレイが図示されている。このような原稿トレイにおいては、操作者は、原稿トレイ上に原稿を置き、ガイド壁部を手操作して原稿の側辺部に当接させながら原稿を前記基準側に幅寄せさせる。この幅寄せ操作の際、スライドプレートは、載置された原稿の最下層と原稿トレイ上面との間に潜り込むようスライドすることになるが、スライド操作の仕方によっては、スライドプレートのガイド壁部と反対側の端部（本発明の説明においては、「反ガイド壁部側端縁部」と呼ぶ）が、原稿の側辺部に突っかかったり、スライドプレートの下面と原稿トレイ上面との間に原稿が入り込んだりすることがある。このような突っかかり等が生じると、幅寄せ作用が円滑になされなかったり、原稿にダメージを与えたりすることにもなってしまう。記録装置における手差しトレイ式の給紙装置でも、このような問題点が指摘されており、その抜本的な改善が望まれるところであった。
【０００４】
本発明は、上記のような実情に鑑みなされたものであり、幅寄せが円滑になされ、原稿や記録紙にダメージを与えることがない給紙装置を提供するものである。
【課題を解決するための手段】
【０００５】
本発明は、用紙を記録部或いは読取部に向け繰出すために載置する用紙載置部と、該用紙載置部上に載置された用紙を幅寄せするためのスライド可能な幅寄せガイド部材とを備えた給紙装置に関する。
請求項１の発明は、前記用紙載置部上には、前記幅寄せガイド部材を幅方向に沿ってガイドするためのガイド溝が開設され、
前記幅寄せガイド部材は、前記用紙載置部上に載置された用紙の側辺部に当接して幅寄せするガイド壁部と、該ガイド壁部の下端に連なり用紙載置部上を前記ガイド溝にガイドされて幅方向にスライドするスライドプレートとよりなり、
前記スライドプレートの反ガイド壁部側端縁には、前記ガイド溝内に傾斜状態で嵌まり込む爪部が形成されていることを特徴とする。
【０００６】
請求項２の発明は、前記スライドプレートの反ガイド壁部側端縁における前記爪部形成部位より給紙方向下流側が、ガイド壁部側に漸次後退するよう形成された斜め部とされていることを特徴とする。また、請求項３の発明は、前記ガイド溝が複数形成され、前記爪部はガイド溝毎に形成されていることを特徴とする。
【発明の効果】
【０００７】
本発明の給紙装置によれば、スライドプレートの反ガイド壁部側端縁の下部には、前記ガイド溝内に傾斜状態で嵌まり込む爪部が形成されているから、用紙載置部上に載置された用紙を幅寄せするために、スライドプレートをスライド操作する際、上記爪部の傾斜面の作用により、載置された用紙の側辺部が持ち上げられ、引き続くスライド操作に伴い、スライドプレートは用紙載置部の上面と載置用紙の下面との間に円滑に潜入する。したがって、用紙の幅寄せが円滑になされ、スライドプレートの反ガイド壁部側端縁が、載置された用紙の側辺部に突っかかったり、スライドプレートの下面と用紙載置部上面との間に用紙が入り込んだりすることがなく、用紙にダメージを与えたりすることがない上に、用紙の幅寄せが的確になされ、その後の用紙の繰出・給送においては斜行等が起こりにくくなる。
【発明を実施するための最良の形態】
【０００８】
以下に本発明の最良の実施の形態について図面を参照して説明する。図１はファクシミリ装置や複写機、或いはファクシミリと複写の両機能を備えた、いわゆる複合機における自動原稿送り装置（ＡＤＦ）の要部の縦断面図を示すものである。図例のＡＤＦ１は、シートものの原稿Ｄを給紙装置１Ａにより１枚ずつ繰出し搬送しながら、その両面の画像を１回の搬送工程で読み取って、それぞれの画像情報を、デジタル信号として出力するための自動原稿送り装置として構成されている。
【実施例】
【０００９】
給紙装置１Ａの原稿供給口部２Ａには、原稿トレイ２が該原稿供給口部２Ａに向かって下方に傾斜するよう着脱自在に装着され、この原稿供給口部２Ａと原稿トレイ２とにより原稿載置部（用紙載置部）２Ｂが構成されている。原稿供給口部２Ａ上には、原稿載置部２Ｂに堆積された原稿（用紙）Ｄを上層部より繰出すピックアップローラ３が配設され、このピックアップローラ３に引き続き、繰出された原稿を１枚ずつ分離して給送する原稿分離手段４が装備されている。上記原稿載置部２Ｂとピックアップローラ３とが、給紙装置１Ａを構成する基本的な機構部をなす。上記原稿分離手段４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させるためのものである。
【００１０】
上記原稿分離手段４により１枚ずつ分離された原稿は、Ｕターン状に形成された原稿搬送路５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレイ１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１１】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１２】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレイ２及び排出トレイ１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１３】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。すなわち、密着型イメージセンサ１６とプラテンローラ１７との間に導入される原稿は、プラテンローラ１７の回転により密着型イメージセンサ１６の読取面を摺接しながら給送され、この間原稿の裏面の画像が密着型イメージセンサ１６により読取られ、電気信号に変換されてデジタル信号として出力される。
【００１４】
上記分離ローラ４ａ、レジストローラ６、第１〜第３搬送ローラ７〜９、プラテンローラ１７及び排出ローラ１０は、図示を省略するが、従来公知のＡＤＦの場合と同様に、１個のモーターを駆動源とし、適宜ギヤ或いはベルト等の伝達手段（不図示）を介し駆動伝達がなされ、また適宜電磁クラッチ（同）により個々にオン・オフ制御がなされるよう構成されている。
【００１５】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転は、例えば、ワンウェイクラッチ（不図示）を介して、ピックアップローラ３に伝達されるように構成される。
【００１６】
斯く構成されたピックアップローラ３は、待機状態ではフレーム３ａをして上方に位置し、上記駆動軸４ｄが正回転（矢印Ａ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００１７】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００１８】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００１９】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２０】
図において、原稿載置部２Ｂの原稿トレイ２には、原稿幅検出センサ２２及び原稿有無センサ２３（図２〜図６参照）が、また、第２搬送ローラ８の上流側近傍にはリードセンサ２４が、夫々配設されている。その他、図示はしないが、レジストローラ６の上流側近傍にレジストセンサ等が適宜配設される。リードセンサ２４は、第２搬送ローラ８や読取走査装置１３を動作制御するための信号を出力するものであり、リードセンサ２４が給送原稿の先端を検出すると、不図示の制御手段は、その検出信号に基づき第２搬送ローラ８を作動して読取ポイントＰに原稿をレジスト搬送すべく制御すると共に、読取走査装置１３をこの原稿の給送に同期させて動作制御する。レジストセンサも、その検出信号に基づき、上記制御手段をしてレジストローラ６の作動制御を行う。
【００２１】
次に原稿トレイ２の詳細について説明する。図２は原稿トレイの全体斜視図、図３は幅寄せ部材の斜視図、図４は図２のＸ−Ｘ線断面図、図５は図４のＹ−Ｙ線断面図、図６は図５のＺ−Ｚ線断面図を示す。図における原稿トレイ２は複数の合成樹脂の成型品パーツを組合わせて構成されている。底板２ａ及び天板の２ｂの一部２ｃ、２ｄは透明樹脂からなり、排出トレイ１１（図１参照）上の排出原稿が上から透視確認できるようになされている。この原稿トレイ２は、先側両端のヒンジ部２ｅ、２ｅを支点として前記機体フレーム１９に対して上下揺動可能に取付けられ、排出トレイ１１上の読取済原稿の取出しや搬送路５でのジャム原稿の取出しに便利なようになされている。ヒンジ部２ｅは筒状に形成され、原稿トレイ２の厚み内に設置される後記するセンサ２２ａ、２２ｂ、２３のリード線２５が挿通・導出され、装置内の制御部（不図示）に接続されるようになされている。
【００２２】
原稿トレイ２の上面には、原稿の給紙方向（図２における矢視Ｂ方向）に見て右側端部には固定のガイド壁２ｆが隆起形成されており、原稿トレイ２上には、原稿Ｄをこのガイド壁２ｆを基準にして、所謂右基準でセットされる。天板２ｂ上に刻設されたマーク２ｇは、オペレータに原稿のセット位置を指し示すものである。原稿トレイ２の上面左側部には、幅寄せガイド部材２６が幅方向（Ｂ方向に直交する方向）にスライド可能に設置されている。
【００２３】
幅寄せガイド部材２６は、ガイド壁部２６ａと、該ガイド壁部２６ａの下端に連成されたスライドプレート２６ｂとよりなり、合成樹脂の一体成型により製せられる。スライドプレート２６ｂの下面には、幅方向に沿ったガイド突片２６ｃ及び板状の作用片２６ｄが並行に垂設されている。原稿トレイ２の上記天板２ｂには幅方向のガイド溝２ｈが開設され、上記ガイド突片２６ａが、このガイド溝２ｈ内を長手方向に沿って摺動可能且つ抜出不能に挿入されている。これにより、幅寄せガイド部材２６が原稿トレイ２上の幅方向所定の範囲内でスライド可能とされる。
【００２４】
また、原稿トレイ２の左側部で、上記幅寄せガイド部材２６のスライド域の下部には２個のセンサ２２ａ、２２ｂが幅方向に沿って隔設され、この２個のセンサ２２ａ、２２ｂによって原稿幅検出センサ２２が構成されている。上記天板２ｂには、この２個のセンサ２２ａ、２２ｂを結ぶ線に沿い且つ上記ガイド溝２ｈに平行な細溝（ガイド溝）２ｉが開設されており、前記板状の作用片２６ｄが、この細溝２ｉ内に遊挿されている。センサ２２ａ、２２ｂは、発光部と受光部が対向配置された凹形のフォトセンサからなり、上記作用片２６ｄは幅寄せガイド部材２６のスライド動作に伴い、発光部と受光部間の凹部を通過するようになされている。上記センサ２２ａ、２２ｂは、作用片２６ｄにより遮光された時にはオン信号を出力するよう構成され、作用片２６ｄのスライド方向長さは、両センサ２２ａ、２２ｂに跨り得る長さとされている。
【００２５】
上記原稿幅検出センサ２２を構成するセンサ２２ａ、２２ｂの相互の間隔、原稿トレイ２の幅方向に沿った位置関係、作用片２６ｄのスライド方向に沿った長さ及び前記原稿有無センサ２３の位置関係の適宜設定により、これらセンサ２２ａ、２２ｂ、２３のオン・オフパターンの複数の組合せから、原稿トレイ２上に載置される原稿の種々のサイズが確定する。特に、幅寄せガイド部材２６のスライド動作に伴う、センサ２２ａ、２２ｂのオン・オフの組合わせパターンが複数発現することになるから、センサの数が少なくても、原稿トレイ２に原稿を置いただけで、多種類の用紙サイズの確定が可能となり、部品点数削減、製造コストの低減化が図られる。
【００２６】
前記ガイド突片２６ｃは、前記ガイド溝２ｈ内にその長手方向に沿って摺動可能に挿入されるが、ガイド溝２ｈの両側壁下端に、スプリングワッシャ或いは皿ばね等のフリクション部材２６ｅを介し、ビス２６ｆによって係止されている。これにより、幅寄せガイド部材２６のガイド溝２ｈの長手方向（幅方向）に沿ったスライド性を維持しながら、その外れが防止され、且つフリクション部材２６ｅのフリクション作用により所定位置での静止機能が得られる。
【００２７】
スライドプレート２６ｂの反ガイド壁部側端縁に沿った上面は、該端縁に向かう緩やかな傾斜面２６ｇとされている。なお、前記「反ガイド壁部側端縁」として説明している部材は、符号２６ｇとして示している部分が該当するものであるが、前記スライドプレート２６ｂの一方側の端部に設けているガイド壁部２６ａと反対側の端部を、前記反ガイド壁部側端縁として説明しているものである。また、ガイド突片２６ｃ及び作用片２６ｄの長手方向に沿ったスライドプレート２６ｂの反ガイド壁部側端縁には、ガイド溝２ｈ及び細溝２ｉに傾斜状態で嵌まり込む爪部２７、２８が形成されている。更に、スライドプレート２６の反ガイド壁部側端縁における上記爪部２７の形成部位より給紙方向下流側は、ガイド壁部２６ａ側に漸次後退するよう形成された斜め部２９とされている。
【００２８】
上記構成の原稿トレイ２において、操作者は、原稿Ｄをマーク２ｇの指示に従い固定のガイド壁２ｆの左側面（前記Ｂ方向見て）に沿うよう原稿トレイ２上に載置する。次いで、上記ガイド壁２６ａを手操作して、図６の矢視方向に沿って幅寄せガイド部材２６をスライドさせる。スライドプレート２６ｂの反ガイド壁部側端縁が、載置された原稿Ｄの左側辺部の近傍に至ると、この側端縁には、上記爪部２７、２８がガイド溝２ｈ及び細溝２ｉに傾斜状態で嵌まり込むよう形成されているから、その傾斜面の作用により、載置された原稿層Ｄがせり上げられ、引き続くスライド操作によってスライドプレート２６ｂが原稿層Ｄの下面と前記天板２ｂとの間にスムースに潜入される。この潜入は傾斜部２６ｇによって一層円滑になされる。
【００２９】
そして、ガイド壁部２６ａを原稿Ｄの左側辺部へ当接させることにより、原稿Ｄの幅寄せが的確になされる。従って、スライドプレート２６ｂの上記側端縁が原稿Ｄの左側辺部に突っかかったり、原稿Ｄの一部がスライドプレート２６ｂの下面と前記天板２ｂの上面との間に入り込んだりすることがなく、原稿Ｄのダメージも生じなくなる。しかも、上記爪部２７の形成部位より給紙方向下流側の上記側端縁は、ガイド壁部２６ａ側に漸次後退するよう形成された斜め部２９とされているから、爪部２７、２８が原稿Ｄの左側辺部に至り、その後のスライド操作によって原稿Ｄは迫り上げられ、この斜め部２９の端縁部に突っかかることなく、天板２６ｂの上面にスムースに乗ってゆくことになり、爪部２７、２８と斜め部２９との相乗作用により、上記幅寄せ操作がより円滑になされる。
【００３０】
図１において、ピックアップローラ３及び分離ローラ４ａの間の原稿載置部２Ｂ上に出没可能な用紙先端揃え用シャッタ３０が設置されている。このシャッタ３０は、待機状態の時には、原稿載置部２上Ｂに突出し、原稿トレイ２上にセットされる原稿Ｄの先端を、揃えるよう機能するものであり、レジストローラ６の回転に連動して上下揺動するリンク機構（一部図示省略）３１に設けられ、このリンク機構３１の上下揺動により原稿載置部２Ｂ上に出没するよう構成されている。このように、レジストローラ６に機械的に連動させて、シャッタ２７を原稿載置部２Ｂ上に出没させるようにしているから、ソレノイド等の高価な電気部品を用いることなくシャッタ３０の動作機構を簡易に構成することができる。
【００３１】
尚、上記実施例では、原稿トレイ２に対し原稿を所謂右側基準でセットする例を示したが、左側基準或いはセンタ基準であっても良い。また、ＡＤＦにおける例を示したが、プリンタ等を含む画像形成装置における記録紙の手差しトレイにも本発明が適用可能であることは言うまでもない。更に、ＡＤＦとして、両面読取用の例を示したが、片面読取のＡＤＦにも本発明が適用され得ることも言うまでもない。
【図面の簡単な説明】
【００３２】
【図１】ＡＤＦと走査装置の要部を示す縦断面図である。
【図２】原稿トレイの全体斜視図である。
【図３】幅寄せ部材の斜視図である。
【図４】図２のＸ−Ｘ線断面図である。
【図５】図４のＹ−Ｙ線断面図である。
【図６】図５のＺ−Ｚ線断面図を示す原稿トレイの斜視図である。
【符号の説明】
【００３３】
１      ＡＤＦ
１Ａ    給紙装置
２Ｂ    原稿載置部（用紙載置部）
２ｈ    ガイド溝
２ｉ    細溝（ガイド溝）
２６    幅寄せガイド部材
２６ａ  ガイド壁部
２６ｂ  スライドプレート
２７    爪部
２８    爪部
２９    斜め部
Ｄ      原稿（用紙）
【図１】
2005200113.tif 000003
【図２】
2005200113.tif 000004
【図３】
2005200113.tif 000005
【図４】
2005200113.tif 000006
【図５】
2005200113.tif 000007
【図６】
2005200113.tif 000008